(57)【要約】【目的】本発明は、複数の資料を一括起動する一括起動方法および一括起動プログラムに関し、画面上に表示されている複数の資料の一覧を取得し、起動する資料とその順番を指定させて起動ファイルを作成し、以降は任意の起動ファイルを指定して複数の資料を順番に一括起動することにより、業務の作業中に他の業務の割込みがあっても即座に当該他の業務に必要な資料を簡易かつ迅速に開いて作業を行うことを目的とする。【構成】  画面上に起動されている複数の資料の一覧を取得するステップと、取得した複数の資料の一覧を表示し、表示した複数の資料の一覧中で起動する順番を指定させるステップと、指定された起動する順番、資料名、および起動パスを取得して起動ファイルに登録するステップとを有する。【選択図】        図１
2007249596.tif 000002
【特許請求の範囲】
【請求項１】
複数の資料を一括起動する一括起動方法において、
画面上に起動されている複数の資料の一覧を取得するステップと、
前記取得した複数の資料の一覧を表示し、当該表示した複数の資料の一覧中で起動する順番を指定させるステップと、
前記指定された起動する順番、資料名、および起動パスを取得して起動ファイルに登録するステップと
を有する一括起動方法。
【請求項２】
起動ファイルに登録されている資料名の一覧を表示し、選択された起動ファイルに登録されている順番に従い起動パスをもとに資料を画面上に表示するステップを備えたことを特徴とする請求項１記載の一括起動方法。
【請求項３】
複数の資料を一括起動する一括起動プログラムにおいて、
コンピュータに、
画面上に起動されている複数の資料の一覧を取得するステップと、
前記取得した複数の資料の一覧を表示し、当該表示した複数の資料の一覧中で起動する順番を指定させるステップと、
前記指定された起動する順番、資料名、および起動パスを取得して起動ファイルに登録するステップと
して機能させるための一括起動プログラム。
【発明の詳細な説明】
【技術分野】
【０００１】
本発明は、複数の資料を一括起動する一括起動方法および一括起動プログラムに関するものである。
【背景技術】
【０００２】
従来、ＰＣ（パソコン）の性能向上に伴い、業務の手続に必要な資料を紙で印刷せずに電子データを参照して作業を進める機会が増えている。
【０００３】
この際、複数の業務を一人で担当する窓口業務などの作業では、現在作業中の業務資料を一旦閉じた後、顧客から依頼のあった業務を割込んで該当業務資料を開いて処理を行って終了したところで当該業務資料を閉じ、以前の業務資料を開くという操作を繰り返していた。
【０００４】
また、多重に開いた資料の作業中に急用ができたときにこれら多数の資料を一括保存する技術がある（特許文献１）。
【特許文献１】特開２０００−３０５８２６号公報
【発明の開示】
【発明が解決しようとする課題】
【０００５】
上述した従来の技術では、複数の業務資料を開いて作業を行っているときに、他の業務の複数の資料を開く必要がある場合、以前の複数の資料を閉じた後に、他の業務の複数の資料を開くという、複数の資料の一時保存と割込み業務の複数の資料を開くという処理を、その都度、繰り返す必要があるという問題があった。
【０００６】
また、上述した後者の技術では、現在開いている複数の業務の資料を一括保存できるのみで、指定された業務に必要な複数の資料を開くことができないという問題があった。
【課題を解決するための手段】
【０００７】
本発明は、これらの問題を解決するため、画面上に表示されている複数の資料の一覧を取得し、起動する資料とその順番を指定させて起動ファイルを作成し、以降は任意の起動ファイルを指定して複数の資料を順番に一括起動するようにしている。
【発明の効果】
【０００８】
本発明は、画面上に表示されている複数の資料の一覧を取得し、起動する資料とその順番を指定させて起動ファイルを作成し、以降は任意の起動ファイルを指定して複数の資料を順番に一括起動することにより、業務の作業中に他の業務の割込みがあっても即座に当該他の業務に必要な資料を簡易かつ迅速に開いて作業を行うことが可能となる。
【発明を実施するための最良の形態】
【０００９】
本発明は、画面上に表示されている複数の資料の一覧を取得し、起動する資料とその順番を指定させて起動ファイルを作成し、以降は任意の起動ファイルを指定して複数の資料を順番に一括起動し、業務の作業中に他の業務の割込みがあっても即座に当該他の業務に必要な資料を簡易かつ迅速に開いて作業を行うことを実現した。
【実施例１】
【００１０】
図１は、本発明のシステム構成図を示す。
図１において、パソコン１は、プログラムに従い各種業務処理を行うものであって、ここでは、画面２上に複数の資料５を表示して各種業務処理を行うものであり、画面２、起動ファイル作成アイコン３、起動アイコン４、ウィンドウ上に表示された資料５、プログラム１１などから構成されるものである。
【００１１】
画面２は、図示外の表示装置上に表示された画面であって、当該画面２の上に複数のウィンドウを開設して当該ウィンドウに資料を表示するためのものである。
【００１２】
起動ファイルアイコン３は、起動ファイルを作成するためのアイコンであって、ここでは、画面２上に表示された当該起動ファイルアイコン３をダブルクリックすると起動ファイル作成プログラム１２を起動し、起動ファイルを作成するためのものである（図２から図６参照）。
【００１３】
起動アイコン４は、更新モジュールあるいは起動モジュールを起動するためのものであって、ここでは、画面２上に表示された当該起動アイコン４をダブルクリックすると起動プログラム１３を起動して更新あるいは起動を選択する画面を表示し、起動モジュール（起動プログラム）あるいは更新モジュール（更新プログラム）を起動するためのものである。
【００１４】
資料５は、ウィンドウ上に表示された資料であって、所定のプログラムに従い起動されてウィンドウ上に表示された資料である（図２から図６参照）。
【００１５】
プログラム１１は、本発明に係るプログラムであって、起動ファイル作成アイコン３および起動アイコン４をダブルクリックされたときに起動されるプログラムであり、ここでは、起動ファイル作成プログラム１２および起動プログラム１３などから構成されるものである。
【００１６】
起動ファイル作成プログラム１２は、起動ファイル１４を作成するものであって、後述する図２の（ａ）の処理を行うものである（図２から図６参照）。起動ファイル作成プログラム１２は、ＯＳが異なる毎に当該ＯＳ用に作成する。
【００１７】
起動プログラム１３は、起動ファイルを更新したり、起動ファイルに登録されている資料５を表示させたりなどするものである（図２から図６参照）。
【００１８】
次に、図２のフローチャートの順番に従い、図１の構成の動作を詳細に説明する。
図２の（ａ）は、起動ファイルの作成フローチャートを示す。
【００１９】
図２の（ａ）において、Ｓ１は、起動ファイル作成アイコン３をクリック（ダブルクリック）する。これは、図１の画面２上に表示されている起動ファイル作成アイコン３をダブルクリックして起動ファイル作成プログラム１２を起動する。
【００２０】
Ｓ２は、起動中のアプリケーションのプロセス一覧を取得する。これは、Ｓ１で起動された図１の起動ファイル作成プログラム１２がパソコン１の画面２に開かれているウィンドウ上に表示されている資料５について、当該資料５を表示しているアプリケーション（起動中のアプリケーション）のプロセス一覧を、例えば後述する図４の画面上に示すように、
・名前（資料名）：
・種類（アプリケーションの種類）：
・アドレス（パス）：
・起動順序：
を取得する。
【００２１】
Ｓ３は、起動したファイルと順番を指定する。これは、Ｓ２で取得して表示した図４の画面上で、起動したファイル（資料名）の起動する順番を起動順序の欄に入力する（Ｓ２の一覧表示時に、起動された順番を取得できたときはデフォルトでその順番を表示、取得できないときは順番を未表示の状態で、ユーザが希望する順番となるように入力する）。
【００２２】
Ｓ４は、起動ファイルのアイコンを作成する。これは、Ｓ３で指定して作成した起動ファイルを起動するためのアイコン（起動アイコン４）を作成する。
【００２３】
Ｓ５は、アプリケーションを終了するか判別する。ＹＥＳの場合には、終了する。ＮＯの場合には、Ｓ６で選択したアプリケーションを終了させ、終了する。
【００２４】
以上によって、図１のパソコン１の画面２上で開かれてウィンドウ上に表示されている資料５について、その一覧を図４の画面に示すように表示し、ユーザから起動する資料名とその順番の入力を促して入力されたときに図３の起動ファイル１４に起動順番、ファイル名（資料名）、ファイルパス（起動パス）を登録して作成すると共に、起動アイコン５を作成することが可能となる。これらにより、画面２上の表示されている複数の資料５について、起動ファイルを指定するのみで自動的に当該起動ファイルの起動順番に従い資料５を元の状態に順次表示することが可能となる。
【００２５】
図２の（ｂ）は、起動ファイルの実行フローチャートを示す。
図２の（ｂ）において、Ｓ１１は、起動アイコンをクリックする。これは、既述した図２の（ａ）のＳ４で作成した起動アイコン５をダブルクリックして図１の起動プログラム１３を起動する。
【００２６】
Ｓ１２は、処理選択する。これは、Ｓ１１で起動された図１の起動プログラム１３が例えば図５の（ａ）の画面を表示し、当該画面上でユーザが処理「起動」あるいは「更新」のいずれを選択したか判別する。起動を選択したと判明した場合には、Ｓ１３からＳ１５の処理を実行する。更新を選択したと判明した場合には、Ｓ１６からＳ２０の処理を実行する。
【００２７】
Ｓ１３は、Ｓ１２で更新を選択したと判明したので、起動画面を表示する。
Ｓ１４は、起動するアプリケーションを選択する。これらＳ１３、Ｓ１４は、例えば図５の（ｂ）の起動画面を表示し、ユーザに起動しないファイル（資料）のチェックを外させる。
【００２８】
Ｓ１５は、選択したアプリケーションで未起動のものを起動する。これは、Ｓ１４で図５の（ｂ）の起動画面上でチェックの外されなかった選択されたアプリケーションのうち、図１のパソコン１の画面２上で未起動のアプリケーションを起動し該当資料５をウィンドウ上に表示する。これにより、図５の（ｂ）の起動画面上でチェックされたアプリケーションについて、未起動のもののみ図１の画面２にウィンドウを開設して当該ウィンドウ内に資料５を表示し、結果として、図５の（ｂ）の起動画面上でチェックされたアプリケーションによって表示する資料が図１の画面２のウィンドウ上に資料５としてそれぞれ表示することが可能となる。
【００２９】
以上のＳ１１、Ｓ１２の起動、Ｓ１３からＳ１５によって、ユーザは図１の画面２上の起動アイコンをダブルクリックして起動プログラム１３を起動し、当該起動プログラム１３が図５の（ａ）の画面を表示し、ユーザが起動を選択すると、図示外の起動モジュールが起動され、当該起動モジュールが図３の起動ファイルを参照して図５の（ｂ）の起動画面を表示し、当該起動画面上でユーザが起動しないアプリケーションのチェックを外すのみで、チェックの残っているアプリケーションを起動（既に起動されているときは起動しない）して該当資料５をウィンドウに表示することが可能となる。
【００３０】
Ｓ１６は、Ｓ１２で更新がユーザによって選択されたと判明したので、設定済のアプリケーションと起動中のアプリケーションのプロセス一覧を取得する。これは、図３の起動ファイル１４の設定済のアプリケーションと、図１のパソコン１の画面２の上にウィンドウを開いてその中に資料５を表示している起動中のアプリケーションとのプロセス一覧を取得、例えば後述する図６の画面上のプロセス一覧を取得して表示する。
【００３１】
Ｓ１７は、起動したいファイルと順番を指定する。これは、Ｓ１６で表示した例えば図６の画面上で、起動したいファイルとその順番（起動順序の欄に順番を入力）をユーザが指定する。
【００３２】
Ｓ１８は、起動ファイルを更新する。これは、Ｓ１７でユーザが指定した起動したいファイルとその順番の情報を、図３の起動ファイル１４に上書きして更新する。
【００３３】
Ｓ１９は、アプリケーションを終了するか判別する。ＹＥＳの場合には、終了する。ＮＯの場合には、Ｓ２０で選択したアプリケーションを終了する。これは、図６の画面上の下段のチェックしたアプリケーションを終了するボタンにチェックを入れると共に、終了したいアプリケーションの左側のボタンにチェックを入れて実行することにより、当該アプリケーションを終了させる。
【００３４】
以上のＳ１１、Ｓ１２の更新、Ｓ１６から２０によって、ユーザは図１の画面２上の起動アイコンをダブルクリックして起動プログラム１３を起動し、当該起動プログラム１３が図５の（ａ）の画面を表示し、ユーザが更新を選択すると、図示外の更新モジュールが起動され、当該更新モジュールが図３の起動ファイルを参照して図６の画面を表示し、当該画面上でユーザが起動しないアプリケーションのチェックを外すおよび起動順番を指定するのみで、チェックの残っているアプリケーションについて図３の起動ファイルを更新することが可能となる。
【００３５】
図３は、本発明の起動ファイル例を示す。起動ファイル１４は、起動するファイル（資料名）とその順番などを登録して管理するものであって、ここでは、図示の下記の情報を対応づけて登録して管理するものである。
【００３６】
・Ｎｏ：
・ファイル名（資料名）：
・ファイルパス（起動パス）：
・元の表示位置、サイズ：
・起動順序：
ここで、Ｎｏは、起動ファイルに登録した番号を示す。ファイル名（資料名）は、資料を格納したファイル名（資料名）と当該ファイル名（資料名）の資料を表示するアプリケーションを表す識別名（アプリケーションを起動する識別子）である。ファイルパスはファイルのパスである。元の表示位置、サイズは、ファイル名（資料名）の資料を表示するウィンドウの位置、サイズである。起動順序は、ファイル名の資料を起動する順番である。
【００３７】
図４から図６は、本発明の画面例を示す。
図４は、新規登録の画面例を示す。図示の画面上では、
・起動ファイル名：
・起動ファイルに追加するアプリケーション：
・名前（ファイル名（資料名））：
・種類（アプリケーションの種類）：
・アドレス（パス）：
・起動順序：
ここで、起動ファイル名は、起動ファイルに付与する一意の名前であり、当該起動ファイル名で例えば業務Ａに必要な複数の資料５を画面２上に表示するためのものである。起動ファイルに追加するアプリケーションは、当該アプリケーションで画面２の上のウィンドウを開いて資料５を表示するためのプログラムであって、ここでは、図示の名前（ファイル名、資料名）、種類（アプリケーションの種類）、アドレス（パス）、起動順序をそれぞれ入力して指定する。
【００３８】
図５は、既存の起動ファイルの実行画面（処理選択：起動））の例を示す。
図５の（ａ）は、起動ファイル名、処理（起動、更新）を選択するための画面の例を示す。ここでは、起動ファイル名：定型業務ａと指定し、処理として、「起動」あるいは「更新」のいずれかのボタンを押下して指定（選択）する。「起動」ボタンが選択されたときは、既述した図２の（ｂ）のＳ１３からＳ１５の処理を行う。「更新」ボタンが選択されたときは、既述した図２の（ｂ）のＳ１６からＳ２０の処理を行う。
【００３９】
図５の（ｂ）は、図５の（ａ）で処理「起動」が選択された場合の画面例を示す。図示の画面は、既述した図２の（ｂ）のＳ１３で表示される起動画面の例を示す。この起動画面は、起動ファイル名で指定された図３の起動ファイル１４に登録されている内容の一覧を表示、例えば図示の下記の一覧を表示する。
【００４０】
・資料名（ファイル名）：
・種類（アプリケーションの種類）：
・アドレス（パス）：
図示の起動画面上で、ここでは、起動しない資料名（ファイル名）のチェックを外す。チェックの残った資料名（ファイル名）の資料が画面２上のウィンドウに表示されることとなる。
【００４１】
図６は、既存の起動ファイルの実行画面（処理選択：更新）の例を示す。これは、既述した図５の（ａ）の画面上で処理「更新」がユーザによって選択されたときに表示される画面例を示す（既述した図２の（ｂ）のＳ１６、Ｓ１７）。図示の画面上で、起動したいファイルと順番を任意に指定すると、既述した図２の（ｂ）のＳ１８で図３の該当起動ファイル１４が更新される。
【産業上の利用可能性】
【００４２】
本発明は、画面上に表示されている複数の資料の一覧を取得し、起動する資料とその順番を指定させて起動ファイルを作成し、以降は任意の起動ファイルを指定して複数の資料を順番に一括起動し、業務の作業中に他の業務の割込みがあっても即座に当該他の業務に必要な資料を簡易かつ迅速に開いて作業を行う一括起動方法および一括起動プログラムに関するものである。
【図面の簡単な説明】
【００４３】
【図１】本発明のシステム構成図である。
【図２】本発明の動作説明フローチャートである。
【図３】本発明の起動ファイル例である。
【図４】本発明の画面例（新規登録）である。
【図５】本発明の画面例（既存の起動ファイルの実行画面（処理選択：起動））である。
【図６】本発明の画面例（既存の起動ファイルの実行画面（処理選択：更新））である。
【符号の説明】
【００４４】
１：パソコン
２：画面
３：起動ファイル作成アイコン
４：起動アイコン
５：資料
１１：プログラム
１２：起動ファイル作成プログラム
１３：起動プログラム
１４：起動ファイル
【図１】
2007249596.tif 000003
【図２】
2007249596.tif 000004
【図３】
2007249596.tif 000005
【図４】
2007249596.tif 000006
【図５】
2007249596.tif 000007
【図６】
2007249596.tif 000008